(57)【要約】      （修正有）【課題】従来とほぼ同じデザインの眼鏡でありながら、フロント部の肉厚とほぼ同程度の薄い眼鏡ケースに収納することが可能な薄型収納可能な眼鏡を提供する。【解決手段】レンズ１１を保持するフロント部１０と、レンズ１１の両端に折り畳み自在に連結されたテンプル１４とを有し、テンプル１４の折り畳み時にフロント部１０の肉厚と同程度まで薄型にして眼鏡ケースに収納が可能な薄型収納可能眼鏡１において、左右のレンズ１１，１１の間に配置された中間部材１５と、左右のレンズ１１，１１とを可撓的に連結する第一の可撓部１５ａと、眼鏡収納時の押圧力によって折り畳み時にフロント部１０に沿うように弾性変形するテンプル１４とを備える。ヒンジ軸１３を支持する智１２を、第二の可撓部によってフロント部１０に対して可撓的に連結してもよい。【選択図】図１
2020067462.tif 000002
【特許請求の範囲】
【請求項１】
レンズを保持するフロント部と、前記レンズの両端に折り畳み自在に連結されたテンプルとを有し、前記テンプルの折り畳み時に前記フロント部の肉厚と同程度まで薄型にして眼鏡ケースに収納が可能な薄型収納可能眼鏡において、
左右の前記レンズの間に配置された中間部材と前記左右のレンズとを可撓的に連結する第一の可撓部と、
眼鏡収納時の押圧力によって折り畳み時に前記フロント部に沿うように弾性変形する前記テンプルと、
を備えることを特徴とする薄型収納可能な眼鏡。
【請求項２】
前記テンプルを折り畳み自在に支持する智を、第二の可撓部によって前記フロント部に対して可撓的に連結したことを特徴とする請求項１に記載の薄型収納可能な眼鏡。
【請求項３】
前記第一の可撓部が可撓性を有する部材で形成された前記中間部材によって構成されていること、及び／又は、前記第二の可撓部が可撓性を有する部材で形成された前記智によって構成されていることを特徴とする請求項１又は２に記載の薄型収納可能な眼鏡。
【請求項４】
前記中間部材には、ブリッジ及びワタリが含まれることを特徴とする請求項１〜３のいずれかに記載の薄型収納可能な眼鏡。
【請求項５】
鼻パッドを取り付ける箱足が、眼鏡収納時の押圧力によって前記フロント部に向けて弾性変形し、前記鼻パッドが折り畳み時の前記眼鏡の肉厚内に収まるように構成されていることを特徴とする請求項１〜４のいずれかに記載の薄型収納可能な眼鏡。
【請求項６】
前記テンプルを折り畳み自在に回動させるためのヒンジ軸を、前記フロント部の両端の近傍に配置したことを特徴とする請求項１〜５のいずれかに記載の薄型収納可能な眼鏡。
【請求項７】
前記テンプルを折り畳み自在に回動させるためのヒンジ軸を、前記レンズと同一の面内に配置したことを特徴とする請求項１〜６のいずれかに記載の薄型収納可能な眼鏡。
【発明の詳細な説明】
【技術分野】
【０００１】
本発明は、左右のレンズと折り畳み可能なテンプルとを備える眼鏡に関し、特に、薄型の眼鏡収納ケースの内部に、フロント部と同程度の肉厚に折り畳んで収納することができる薄型収納可能な眼鏡に関する。
【背景技術】
【０００２】
一般に眼鏡は、左右のレンズ及びこれらを保持するフロント部と、このフロント部の両端の智にヒンジ軸を介して折り畳み可能に取り付けられたテンプルとを有する。そして、このような眼鏡は、レンズへの傷つきや変形を防止するために、専用の眼鏡ケースに収納して持ち運ばれるのが一般的である。
【０００３】
ところで、従来の眼鏡ケースは、その厚みが３０ｍｍ〜４０ｍｍと厚肉で嵩張り、胸ポケットなどに入れて持ち運ぶことが難しいという問題がある。そのため近年では、胸ポケットに収納できるくらい薄型に折り畳むことができる眼鏡が流行となっている（例えば特許文献１，２，３参照）。
【先行技術文献】
【特許文献】
【０００４】
【特許文献１】特開２０１１−１１０１２３号公報（図１参照）
【特許文献２】特開２００９−６９３５６号公報
【特許文献３】特開２０１６−２０６６２３号公報
【発明の開示】
【発明が解決しようとする課題】
【０００５】
特許文献１，２に記載の眼鏡は、レンズ両端の智と左右のレンズ間のブリッジとがほぼ同じ面内に位置するフラットな形状にフロント部が形成されていて、このフロント部の両端の智にヒンジ軸を介してテンプルを折り畳み自在に連結したものである。そして、前記フロント部における前記ヒンジ軸の取り付け位置や傾斜角を工夫することで、前記フロント部の上方にテンプルを折り畳めるようにし、折り畳み時にテンプルとフロント部とが同一の面内に位置するようにすることで、折り畳んだときの眼鏡がフロント部とほぼ同じ肉厚になるようにしている。
また、特許文献３に記載の眼鏡は、特許文献１，２と同様にほぼフラットに形成されたフロント部を有しているが、薄肉に形成されたフロント部の内側に左右のテンプルが折り畳めるようにしてある。そして、智の位置を左右で互い違いとし折り畳み時に左右のテンプルが重ならないような形状とするとともに、薄板又は丸線からテンプルを形成することで、テンプルを折り畳んだときの眼鏡の肉厚が小さくなるようにしてある。
【０００６】
しかし、特許文献１，２に記載の眼鏡では、ヒンジ軸の位置や傾きが限定されること、特許文献３に記載の眼鏡では智の位置やテンプルの形状が限定されること、特許文献１〜３に記載の眼鏡では、フロント部をほぼ平坦な形状としているため、眼鏡のデザインが大きく制限されるという問題がある。また、ほぼフラットに形成されたフロント部は掛け心地が悪く、使用時に違和感を覚えたり長時間掛けていると眼が疲れるなどの問題がある。
【０００７】
本発明はこのような問題に鑑みてなされたもので、従来とほぼ同じ形の眼鏡のデザインでありながら、フロント部の肉厚とほぼ同程度の薄い眼鏡ケース内に折り畳んで収納することができる薄型収納可能な眼鏡の提供を目的とする。
【課題を解決するための手段】
【０００８】
上記課題を解決するために本発明の発明者は、眼鏡のフロント部に少なくとも一つの可撓部を設けるとともに、折り畳み時にはテンプルが前記フロント部に沿った形状に弾性変形できるように形成し、前記可撓部と前記テンプルとの協働によって、眼鏡収納時の眼鏡の厚みをフロント部の肉厚と同程度まで薄くできることを見いだした。
【０００９】
具体的に請求項１に記載の薄型収納可能な眼鏡は、レンズを保持するフロント部と、前記レンズの両端に折り畳み自在に連結されたテンプルとを有し、前記テンプルの折り畳み時に前記フロント部の肉厚と同程度まで薄型にして眼鏡ケースに収納が可能な薄型収納可能眼鏡において、左右の前記レンズの間に配置された中間部材と、前記左右のレンズとを可撓的に連結する第一の可撓部と、眼鏡収納時の押圧力によって折り畳み時に前記フロント部に沿うように弾性変形する前記テンプルとを備える構成としてある。
なお、「フロント部の肉厚と同程度」とは押圧力を付与する前後のフロント部の肉厚のいずれであってもよいが、押圧力を付与して変形させた後のフロント部の肉厚と同程度であるのが好ましい。
【００１０】
本発明においては、前記第一の可撓部の他に可撓部を設けてもよい。例えば請求項２に記載するように、前記テンプルを折り畳み自在に支持する智を、第二の可撓部によって前記フロント部に対して可撓的に連結してもよい。
請求項３に記載するように、前記第一の可撓部は、可撓性を有する部材で前記中間部材を形成して「第一の可撓部」としてもよい。また、前記第二の可撓部は、可撓性を有する部材で前記智を形成して「第二の可撓部」としてもよい。
なお、前記中間部材には、請求項４に記載するように、ブリッジやワタリが含まれる。
【００１１】
また、鼻パッドを取り付ける箱足についても、請求項５に記載するように、眼鏡収納時の押圧力によって前記フロント部に向けて弾性変形し、前記鼻パッドが折り畳み時の前記眼鏡の肉厚内に収まるように構成してもよい。
また、テンプルを折り畳み自在にフロント部に連結するヒンジ軸は、請求項６に記載するように、可能な限りフロント部又はレンズに近づけるのが好ましい。また、請求項７に記載するように、前記ヒンジ軸を前記レンズと同一の面内に配置するようにすれば、前記ヒンジ軸を支持する智の出っ張りを小さくしたり無くしたりすることができ、折り畳み時にすっきりとした薄型とすることができる。
【発明の効果】
【００１２】
本発明は上記のように構成されているので、一つ又は複数の可撓部や弾性を有するテンプル、弾性変形する箱足等の組み合わせにより、一般的形状の眼鏡であっても、テンプル折り畳み時にフロント部とほぼ同じ肉厚まで眼鏡を薄くして、薄型の眼鏡ケースに収納することができる。そのため、前記眼鏡ケースを胸ポケット等に収納することが可能になり、かつ、一般的な眼鏡であることから装着時に違和感も無く、長時間装着しても疲れることが無い。
【発明を実施するための最良の形態】
【００１３】
本発明の好適な実施形態について、図を参照しながら詳細に説明する。
図１は本発明の薄型収納可能な眼鏡の一実施形態にかかり、（ａ）はその構成を説明する平面図、（ｂ）は（ａ）のＡ部の部分拡大図、（ｃ）は（ａ）のＢ部の部分拡大図、（ｄ）はテンプルが弾性変形する様子を説明する図である。
図１に示すように、本発明の薄型収納可能な眼鏡１（以下、眼鏡１と記載）は、左右のレンズ１１，１１を保持するフロント部１０と、このフロント部１０の両端に智１２を介してヒンジ軸１３によって折り畳み自在に連結された左右のテンプル１４，１４と、左右のレンズ１１，１１の間に配置された中間部材としてのブリッジ１５とを有する。また、左右のレンズ１１，１１の間のフロント部１０には、箱足１７によって鼻パッド１６が取り付けられている。
なお、フロント部１０は、一般的な眼鏡に用いられるものであって、かつ、レンズ１１，１１を保持できる形態であれば、フルリム、ハーフリム、リムレスのいずれであってもよい。
【００１４】
［テンプル］
テンプル１４の一端は、智１２に設けられたヒンジ軸１３によって回動自在（折り畳み自在）にフロント部１０に取り付けられている。
テンプル１４の回動中心であるヒンジ軸１３は、図１（ｂ）に示すように、フロント部１０の両端から左方又は右方に突出する智１２に設けられ、かつ、レンズ１１と同一の平面内に位置している。そのため、図１（ｂ）の矢印Ｉ方向にテンプル１４を回動させて折り畳む際に、テンプル１４の基部と智１２とが干渉しないように、テンプル１４のヒンジ軸１３側の基部１４ａは湾曲状に形成されている。テンプル１４を回動自在に支持する智１２のフロント部１０における左右方向の突出寸法は可能な限り小さくするのが好ましく、また、ヒンジ軸１３は可能な限りフロント部１０の近傍に配置するのが好ましい。
また、テンプル１４は、眼鏡１を眼鏡ケースに収納する際の押圧力などによって図１（ｄ）(i)(ii)に示すように弾性変形し、フロント部１０の内面に沿った形状に変形するようになっている。
【００１５】
［ブリッジ］
中間部材であるブリッジ１５は左右のレンズ１１，１１を連結する部材である。この実施形態では、図１（ｃ）に示すように、レンズ１１，１１（フロント部１０）とブリッジ１５の両端とは第一の可撓部１５ａで可撓自在に連結されていて、レンズ１１，１１とブリッジ１５とは互いに可撓的に連結されている。なお、この第一の可撓部１５ａの作用による可撓変形の方向を図１（ｃ）では矢印iiで示すとともに、可撓変形後の状態を仮想線で示している。
図１（ｃ）において第一の可撓部１５ａはヒンジ状に図示しているが、レンズ１１，１１とブリッジ１５とを相対的に可撓自在に連結できる形態であれば、ヒンジ状のものに限らず、薄肉部や凹部、樹脂などの柔軟性のある材料などであってもよい。
【００１６】
また、ブリッジ１５そのものを可撓性の部材で形成して「第一の可撓部」としてもよいし、図２に示すように、ブリッジ１５の中央に凹部１５ｂを設けてこれを「第一の可撓部」としてもよい。なお、図２においても変形後の状態を仮想線で示している。
このような第一の可撓部１５ａを設けることで、フロント部１０に押圧力を付与した際に、図１（ｃ）及び図２の仮想線で示すように左右のレンズ１１，１１（フロント部１０）とブリッジ１５とが互いに可撓的に弾性変形し、平坦に近い形状となる。
【００１７】
［箱足］
この実施形態の眼鏡１には、鼻パッド１６が設けられている。そのため、眼鏡１を薄型の眼鏡ケースに収納する際に、鼻パッド１６が折り畳み後の眼鏡１の厚み方向に出っ張らないようにするために、箱足１７は弾性材料で形成されている。そして、眼鏡１を眼鏡ケースに収納する際に鼻パッド１６が押圧されることで箱足１７がフロント部１０側に弾性変形し、眼鏡１と同じ厚み内に収まるようになっている。
【００１８】
別の実施形態として、智１２が左右のレンズ１１，１１（フロント部１０）に対して可撓的に弾性変形するようにしてもよい。例えば、図３に示すように、智１２の基部１２ａを薄肉状に形成してもよい。すなわち、図３の実施形態では、薄肉状の基部１２ａが「第二の可撓部」を構成する。
このように、智１２についてもレンズ１１，１１（フロント部１０）に対して前記第二の可撓部で可撓的に弾性変形するようにすることで、眼鏡１の収納時における智１２の厚み方向への出っ張りを抑制することができる。
【００１９】
図４は本発明の眼鏡１の作用を説明する図、図５は本発明の眼鏡を薄型の眼鏡ケース２に収納した状態を示す斜視図である。
図１（ａ）の眼鏡１のテンプル１４を一般的な眼鏡と同様に折り畳んだ状態が図４（ａ）に示す状態である。眼鏡ケース２は、フロント部１０の肉厚（押圧力付与後の肉厚）と同程度の内寸法を有するが、この内寸法の目安、すなわち眼鏡１の収納時の肉厚は概ね５ｍｍ〜１０ｍｍ程度である。内寸法がこの程度の眼鏡ケース２であれば、眼鏡ケース２の肉厚方向の外寸法ｔを６ｍｍ〜１１ｍｍ程度とすることができる。この外寸法ｔは従来の眼鏡ケース（３０ｍｍ〜４０ｍｍ）の外寸法の数分の一であり、眼鏡ケース２を違和感なく胸ポケットに収容することが可能になる。
【００２０】
本発明の眼鏡１においては、眼鏡１をこのような薄型の眼鏡ケース２に収納することで、テンプル１４及びレンズ１１，フロント部１０に上下方向から押圧力が付与され、レンズ１１，１１（フロント部１０）とブリッジ１５、智１２とが第一の可撓部１５ａ及び基部１２ａで可撓的に弾性変形し、全体として平坦に近い形状になる。また、左右のテンプル１４，１４が弾性変形してフロン部１０に沿った形状となる。さらに、箱足１７が前記押圧力により弾性変形して鼻パッド１６が収納時のテンプル１４と同じ高さ位置まで移動する。
これらの組み合わせにより、眼鏡１の折り畳み時の肉厚がフロント部１０の肉厚と同程度まで圧縮され、薄型の眼鏡ケース２に収納される。
【００２１】
本発明の好適な実施形態について説明したが、本発明は上記の説明により限定されるものではない。
例えば、中間部材としてブリッジ１５を例に挙げて説明したが、ワタリなど他の中間部材が存在する場合も同様である。
また、ヒンジ軸１３はフロント部１０と同一の平面内に配置されているものとして説明したが、目的とする薄型の眼鏡ケースに収納できる範囲内であれば、前記平面から多少突き出た位置に配置されていてもよい。
【図面の簡単な説明】
【００２２】
【図１】本発明の薄型収納可能な眼鏡の一実施形態にかかり、（ａ）はその構成を説明する平面図、（ｂ）は（ａ）のＡ部の部分拡大図、（ｃ）は（ａ）のＢ部の部分拡大図、（ｄ）はテンプルの変形の様子を説明する図である。
【図２】第一の可撓部の別の実施形態を示すブリッジの部分拡大図で、ブリッジの中央に凹部を設けたものである。
【図３】智に第二の可撓部である薄肉部を形成した実施形態を示す部分拡大図である。
【図４】本発明の眼鏡１の作用を説明する図である。
【図５】本発明の眼鏡が眼鏡ケースに収納された状態を示す斜視図である。
【符号の説明】
【００２３】
１        眼鏡
１０      フロント部
１１      レンズ
１２      智
１２ａ    基部
１３      ヒンジ軸
１４      テンプル
１５      ブリッジ（中間部材）
１５ａ    第一の可撓部
１５ｂ    凹部
１６      鼻パッド
１７      箱足
２          眼鏡ケース
【図１】
2020067462.tif 000003
【図２】
2020067462.tif 000004
【図３】
2020067462.tif 000005
【図４】
2020067462.tif 000006
【図５】
2020067462.tif 000007